(57)【要約】【課題】荷台の強度を損なうことなく、不使用の際にコンパクトに収納する。【解決手段】荷物を載置する荷台１と、タイヤ３を保持するタイヤ保持部材２とを、締結部材（ボルト）８を用いて着脱自在に取り付ける。このように締結部材８を用いることで、手押し台車の不使用時には荷台１からタイヤ保持部材２を容易に取り外して収納することができる。このように着脱自在とすることで、コンパクトに収納できるとともに、コンパクト化のために荷台１を折り畳む必要がなく、この荷台１を折り畳み式とするのに伴って、その強度が損なわれるのを防止することができる。【選択図】図１
2014136499.tif 000002
【特許請求の範囲】
【請求項１】
荷物を載置する荷台（１）と、前記荷台（１）の下部に着脱自在に取り付けられるタイヤ保持部材（２）と、を備えた組立式手押し台車。
【請求項２】
前記荷台（１）に複数の受け部（９）を形成し、その複数の受け部（９）から１又は２以上の受け部（９）を選択して、その選択した受け部（９）に前記タイヤ保持部材（２）を取り付けた請求項１に記載の組立式手押し台車。
【請求項３】
前記受け部（９）が締結部材（８）を通す貫通孔（９）で、この締結部材（８）によって前記タイヤ保持部材（２）を前記荷台（１）に取り付けた請求項２に記載の組立式手押し台車。
【発明の詳細な説明】
【技術分野】
【０００１】
この発明は、人力で荷物を運搬する際に用いる組立式手押し台車に関し、特に不使用時にコンパクトに収納し得るようにした組立式手押し台車に関する。
【背景技術】
【０００２】
一般的な手押し台車は、荷物を載置する荷台の下部に、タイヤを保持するタイヤ保持部材が溶接等の手段で固定されている。このため、荷台の下部からタイヤが下向きに突出した「正面視Ｔ字形」をしており、横幅方向及び高さ方向のいずれにも嵩高く、不使用時にコンパクトに収納できない、という問題があった。この問題を解決すべく、不使用時にコンパクトに収納できる手押し台車として、例えば、特許文献１、２に示すタイプのものが提案されている。これらの手押し台車（組立式一輪車）は、その収納の際にタイヤ及びタイヤ保持部材が荷台（荷台本体、荷台フレーム）に固定された状態のまま、この荷台の左右端側をタイヤに沿うように下向きに折り畳むことによってコンパクト化を図っている（特許文献１の図２、特許文献２の図７を参照）。
【先行技術文献】
【特許文献】
【０００３】
【特許文献１】特開平９−１１８２３４号公報
【特許文献２】特開２００１−５８５７０号公報
【発明の概要】
【発明が解決しようとする課題】
【０００４】
特許文献１、２に示すタイプの手押し台車は、収納の際に、荷台をタイヤ保持部材に沿うように下向きに折り畳んで、コンパクト化を図るようにしたものであるが、この荷台に荷物を載置した際に荷重が負荷される方向と、この荷台の折り畳みの方向が同じである。このため、折り畳み式とした荷台の強度が、載置した荷物の荷重に耐え切れず、この荷台がその使用中に不用意に折り畳み状態になってしまう問題が生じ得る。
【０００５】
そこで、この発明では、荷台の強度を損なうことなく、不使用の際にコンパクトに収納することを課題とする。
【課題を解決するための手段】
【０００６】
上記の課題を解決するため、この発明は、荷物を載置する荷台と、前記荷台の下部に着脱自在に取り付けられるタイヤ保持部材と、を備えた組立式の手押し台車を構成した。
【０００７】
このように、タイヤ保持部材を荷台に対して着脱自在とし、取り外したタイヤ保持部材を荷台に沿うように配置することで、この荷台を折り畳まなくても収納時のコンパクト化を図ることができる。このため、この荷台を折り畳み式とした場合と比較して、その高い強度を確保することができる。
【０００８】
また、前記構成においては、前記荷台に複数の受け部を形成し、その複数の受け部から１又は２以上の受け部を選択して、その選択した受け部に前記タイヤ保持部材を取り付けるようにすることができる。
【０００９】
このように複数の受け部を形成しておけば、例えば、手押し台車の小回り性を確保したい場合は、タイヤ保持部材をこの台車の左右方向の中央の一箇所に設けて一輪車とする一方で、重量物を運搬する場合は、タイヤ保持部材を左右対称に二箇所設けて二輪車とすることができ、使用目的に応じた最適な台車の形態を選択することができる。
【００１０】
また、前記構成においては、前記受け部が締結部材を通す貫通孔で、この締結部材によって前記タイヤ保持部材を前記荷台に取り付けることができる。
【００１１】
このように締結部材で取り付けるようにすれば、手押し台車の組立及び分解をスムーズに行うことができるため非常に利便性が高い。この締結部材として、例えばボルトとナットのように、周知のものを用いるのが簡便である。
【発明の効果】
【００１２】
この発明では、タイヤ保持部材を荷台から着脱自在に設けた。このため、コンパクトに収納する際に、荷台を折り畳む必要がなく、この折り畳みに起因して荷台の強度が低下するのを防ぐことができる。
【図面の簡単な説明】
【００１３】
【図１】本願発明に係る手押し台車の実施形態を示す斜視図
【図２】本実施形態を示す平面図
【図３】本実施形態を示す側面図
【図４】本実施形態を示す背面図
【図５】本実施形態の要部を示す分解斜視図
【図６】本実施形態の要部を示す側面図
【図７】本実施形態の要部を示す平面図
【図８】本実施形態に係る筋交い部材の接続構造の要部を示す正面図
【図９】本実施形態の他例の要部を示す斜視図
【図１０】本願発明に係る手押し台車を各構成部材に分解した状態を示す斜視図
【図１１】図１０に示す各構成部材を収納箱に収納した状態を示す斜視図
【発明を実施するための形態】
【００１４】
この発明に係る手押し台車の実施形態を図１から図４に示す。この手押し台車は、荷物を載置する荷台１と、この荷台１の下部に着脱自在に取り付けられたタイヤ保持部材２と、このタイヤ保持部材２で保持されたタイヤ３と、荷台１の後部側に着脱自在に設けられたハンドル部４とを基本構成部材とするものである。
【００１５】
荷台１は、中空の柱状部材からなる矩形状の外枠５と、この外枠５の内側に前後方向に設けられた柱状の２本の縦梁６、６、及び左右方向に設けられた断面Ｌ字形の２本の横梁７、７とを備えている。すなわち、この荷台１はその左右方向に、外枠５の左右部分（左外枠５ａ、右外枠５ｂ）と、２本の縦梁６、６と、２本の横梁７、７とによって３つに区画されている（図２等を参照）。各横梁７、７の前記各区画の中央部には、タイヤ保持部材２を固定する締結部材であるボルト８を通す受け部として、貫通孔９が形成されている。
【００１６】
タイヤ保持部材２は、左右に並べて設けた略Ｕ字形の２本の支柱１０、１０と、両支柱１０、１０の前後端部同士をそれぞれ連結する一対の連設板１１、１１と、タイヤ３の回転軸を受ける軸受部１３とから構成される。連設板１１の中央部には、ボルト８を通す貫通孔１２が形成されている。この貫通孔１２と、横梁７に形成された貫通孔９の位置を合わせてボルト８をねじ込むと、このタイヤ保持部材２を荷台１の下部にしっかりと取り付けることができる。その一方で、収納時には、このボルト８を緩めることで、荷台１からタイヤ保持部材２（タイヤ３）を容易に取り外すことができる。
【００１７】
このように、タイヤ保持部材２を着脱自在とすることにより、従来技術で示したように荷台１を折り畳んでコンパクト化を図る構成と異なり、荷台１を折り畳むことなくコンパクト化を図ることができる。このため、荷台１の強度が損なわれず、荷物を安定して運搬することができる。
【００１８】
タイヤ３は、その回転軸がタイヤ保持部材２の軸受部１３に嵌め込まれて保持されている。このタイヤ３は、周方向の断面が略ハート形をしている。すなわち、このタイヤの直進状態において、このタイヤ３は前記ハート形の２本の周方向の突条１４、１４で接地し、タイヤ３の幅方向中央の周溝１５においては直接的には接地しない状態となっている。
【００１９】
一般的な断面円弧状のタイヤは、砂地やぬかるんだ路面において、その砂等がタイヤの幅方向両側に押し分けられて、結果的にこのタイヤが路面にめり込んで走行困難となってしまうことがある。これに対して、この断面ハート形のタイヤ３は、そのような路面状況において、両突条１４、１４に挟まれた領域に構成される斜面が、砂等をタイヤ３の幅方向中央の周溝１５に誘導する。そして、この誘導された砂等がタイヤ３を支持する。このため、タイヤが路面に深くめり込むのを防止するという作用が発揮される。
【００２０】
また、一般的な断面円弧状のタイヤにおいては、タイヤが左右の一方に傾いて接地部がその幅方向中心からずれると、蛇行して走行が不安定になりやすい。これに対して、この断面ハート形のタイヤ３は、２本の突条１４、１４で安定的に接地するため、一般的なタイヤと比較して蛇行しにくく、安定した走行状態を維持しやすい、というメリットもある。
【００２１】
この実施形態においては、図５及び図６に示すように、三つの前記区画のうち、中央の区画にタイヤ保持部材２をボルト８で取り付けて、この手押し台車を一輪車形状に構成している。このように一輪車形状とする代わりに、図７中に二点鎖線で示すように、幅方向両端側の二つの区画にタイヤ保持部材２を取り付けて、二輪車形状に構成することができる。このようにすれば、各タイヤ３にかかる負担が軽減するため、特に重量物を運搬する場合に、走行安定性の向上を図ることができる。
【００２２】
荷台１の後部側には、ハンドル部４がボルト１６で着脱自在に取り付けられている。このハンドル部４の下端は手押し台車の支持脚１７を兼ねており、この支持脚１７の接地部近傍と縦梁６とが筋交い部材１８によって連結されている。この筋交い部材１８によって、この手押し台車の使用時に、荷台１に載置した荷物の重みでハンドル部４が歪むのを防止している。この筋交い部材１８と縦梁６とはボルト１９で固定され、図８に示すように、支持脚１７とはこの支持脚１７に溶接された取付治具２０を介してボルト１９で固定されている。収納時には、このボルト１９を緩めて、筋交い部材１８を容易に取り外すことができる。
【００２３】
荷台１の前端部には、ガード２１が取り付けられている。このガード２１で、荷台１に載置した荷物が荷台１の前端部から脱落するのを防止している。このガード２１は、荷台１の外枠５の前部分（前外枠５ｃ）に固定する構成としてもよいが（図１等を参照）、図９に示すように、ガード２１と前外枠５ｃを一体に構成するとともに、この前外枠５ｃに荷台１の後方側に向かう４本の挿し込み部２２ａ、２２ｂ、２２ｃ、２２ｄを設け、各挿し込み部２２ａ、２２ｂ、２２ｃ、２２ｄを左右外枠５ａ、５ｂ及び縦梁６に挿し込む構成とすることもできる。この構成においては、その挿し込みを容易にするために、例えば、各挿し込み部２２ａ、２２ｂ、２２ｃ、２２ｄのうち両端側に位置する２本の挿し込み部２２ａ、２２ｄを、内側に位置する２本の挿し込み部２２ｂ、２２ｃよりも若干長めにしておくのが好ましい。このように長さを変えておけば、その挿し込みの際に、まず両端側の２本の挿し込み部２２ａ、２２ｄを左右外枠５ａ、５ｂに挿し込んだ後に、内側の２本の挿し込み部２２ｂ、２２ｃを挿し込むようにして、全ての挿し込み部２２ａ、２２ｂ、２２ｃ、２２ｄを一度に左右外枠５ａ、５ｂ及び２本の縦梁６、６に挿し込む場合と比較して、作業をスムーズに行うことができる。
【００２４】
また、この挿し込み式の構成においては、荷台１に、各挿し込み部２２ａ、２２ｂ、２２ｃ、２２ｄを任意の挿し込み深さで固定する、ボルト等の固定部材を設けるのが好ましい。この固定部材を設けることにより、手押し台車の使用中に、不用意にガード２１が抜け落ちるトラブルを確実に防止できるとともに、載置する荷物の大きさに対応して、荷台１の前後方向の長さを所望の長さに固定することができる。
【００２５】
この手押し台車は、図１０に示すように、荷台１と、タイヤ保持部材２と、タイヤ３と、ハンドル部４と、筋交い部材１８とに分解することができる。この分解した状態の手押し台車の構成部材一式を、収納箱Ｂに収納した状態を図１１に示す。この実施形態においては、最も厚みがある構成部材はタイヤ保持部材２なので、このタイヤ保持部材２を横向きに寝かせて収納できる程度の深さの収納箱Ｂがあれば、全ての構成部材をコンパクトにまとめて収納することができる。同図に示す収納方法はあくまでも一例であって、各構成部材の収納順序や向き等は、適宜変更することもできる。
【００２６】
本実施形態においては、断面ハート形のタイヤ３を装着した態様を示したが、このタイヤ３として、断面円弧状とした一般的なタイヤも勿論装着することができる。
【００２７】
また、本実施形態においては、荷台１の中央よりも前方側に２本の横梁７、７を設けた構成としたが、この荷台１の中央よりも後方側にも同様に横梁７を設け、三輪車形状あるいは四輪車形状とすることもできる。このように三輪以上とすれば、この手押し台車をその複数のタイヤ３のみで自立させることができる。このため、その荷物の荷重の一部を使用者の手で支える一輪車形状あるいは二輪車形状の場合と比較して、その使用者の肉体的な負担を軽減することができる。
【００２８】
また、本実施形態においては、荷台１を折り畳まずに収納する構成としたが、その強度を損なわない限りにおいて、この荷台１を折り畳み式にすることもできる。
【００２９】
上記の実施形態はあくまでも一例であって、本願発明の、荷台１の強度を確保しつつ収納時のコンパクト化を図るという課題を解決し得る限りにおいて、構成部材の一部を省略したり、その構成部材の形状を適宜変更したりすることは勿論許容される。
【符号の説明】
【００３０】
１  荷台
２  タイヤ保持部材
３  タイヤ
４  ハンドル部
５  外枠
５ａ  左外枠
５ｂ  右外枠
５ｃ  前外枠
６  縦梁
７  横梁
８  ボルト（締結部材）
９  （横梁の）貫通孔（受け部）
１０  支柱
１１  連設板
１２  （連設板の）貫通孔
１３  軸受部
１４  突条
１５  周溝
１６  ボルト
１７  支持脚
１８  筋交い部材
１９  ボルト
２０  取付治具
２１  ガード
２２ａ、２２ｂ、２２ｃ、２２ｄ  挿し込み部
Ｂ  収納箱
【図１】
2014136499.tif 000003
【図２】
2014136499.tif 000004
【図３】
2014136499.tif 000005
【図４】
2014136499.tif 000006
【図５】
2014136499.tif 000007
【図６】
2014136499.tif 000008
【図７】
2014136499.tif 000009
【図８】
2014136499.tif 000010
【図９】
2014136499.tif 000011
【図１０】
2014136499.tif 000012
【図１１】
2014136499.tif 000013